(57)【特許請求の範囲】
【請求項１】
着脱自在に電柱に捲回する帯状の捲回帯と、
前記捲回帯に摺動可能に挿通され該捲回帯を締付け固定する摺動リングと、
前記摺動リングを上部から懸吊する帯状の吊下げ帯と、からなり、
前記吊下げ帯の先端には、電柱に捲回され固定される電柱切断機のリングレールを挟持する挟持片が固着されている、ことを特徴とする電柱切断機吊下げ具。
【請求項２】
前記摺動リングの上部には電柱の外側に延伸する水平部と該水平部から直角または鈍角に折り曲げられて下方に延伸する曲折部からなる懸吊片が固着され、前記吊下げ帯は該懸吊片を介して懸吊される、ことを特徴とする請求項１に記載の電柱切断機吊下げ具。
【請求項３】
前記吊下げ帯は前記懸吊片に対して着脱自在に係着または掛着される、ことを特徴とする請求項２に記載の電柱切断機吊下げ具。
【請求項４】
前記吊下げ帯の上端には上部が矩形で下部が円形の鍵穴状の掛止孔が貫設された硬質材製の掛止用平板が固着され、
前記摺動リングの懸吊片を形成する曲折部の表面には先端の径が根元の径よりも太くなったきのこ状の雄型掛止子が電柱の外側に向けて突設され、
前記雄型掛止子が前記掛止孔に掛着される、ことを特徴とする請求項３に記載の電柱切断機吊下げ具。
【請求項５】
前記捲回帯の一端には雌型係止リングが固着され、該捲回帯の他端が該雌型係止リングに捲回することにより該捲回帯は電柱に係着されて固定される、ことを特徴とする請求項１ないし請求項４のいずれかに記載の電柱切断機吊下げ具。
【請求項６】
前記吊下げ帯の挟持片は前記電柱切断機のリングレールの外側を周回する突条の補強リブを挟持することにより、前記吊下げ帯は該電柱切断機を挟持する、ことを特徴とする請求項１ないし請求項５のいずれかに記載の電柱切断機吊下げ具。
【請求項７】
前記摺動リングの電柱との接触面側には滑り防止用のゴム板が添設され、前記摺動リングの滑り防止用のゴム板の表面には凹凸加工が施されている、ことを特徴とする請求項１ないし請求項６のいずれかに記載の電柱切断機吊下げ具。
【発明の詳細な説明】
【技術分野】
【０００１】
本願発明は、コンクリートカッターで立設したままの状態で電柱を切断する電柱切断機を、電柱に仮固定するための電柱切断機吊下げ具に関する。
【背景技術】
【０００２】
本願出願人は、先にコンクリートカッターで電柱を切断する電柱切断機を特許出願したが、この電柱切断機は特開２００６−３１６６１０号公報に公開されている。
【０００３】
この電柱切断機は、「人力で持ち運びができ、取り扱いも容易で、かつ、コンクリート片が飛び散るおそれのない電柱切断機を提供する」ことを目的としていて、この目的達成のために、「本願発明に係る電柱切断機は、電柱の表面と略等距離の間隔を隔てて電柱に巻回され固定されるリングレールと、リングレールに跨乗して電柱の周りを周回する周回ブロックと、電柱に対して直径方向に向けて前記周回ブロック上に固定されるラックと、ラック上を前記電柱の直径方向に移動可能な把持部と円盤状のカッターブレードとを有するコンクリートカッターと、からなっていて、カッターブレードを電柱に切り込ませながら電柱周りを周回して切断する」構成としたのである。
【０００４】
図８を基に、この電柱切断機を概説する。なお、図８は、特開２００６−３１６６１０号公報に開示の実施例に係る電柱切断機の斜視図である。
電柱切断機１００は、主として、リングレール１１０、周回ブロック１３０、ラック１５０、およびコンクリートカッター１６０から構成されている。そして、リングレール１１０は、同一形状のリングレール１１０ａおよびリングレール１１０ｂに二分割されていて、湾曲させた帯板１１２の幅方向の両縁近傍には、上部補強リブ１１８および下部補強リブ１２０が帯板１１２の長さ全体にわたって固着されていて、上部補強リブ１１８の上側は上部レール１１４が形成され、下部補強リブ１２０の下側は下部レール１１６が形成されている。さらに、帯板１１２の両端部の上部補強リブ１１８と下部補強リブ１２０との間には、接合リブ１２２、１２２が固着されていて、接合リブ１２２、１２２には、それぞれ上下２箇所に接合ボルト１２６の貫通孔が穿設され、リングレール１１０ａ、１１０ｂは、接合ボルト１２６により接合される。
リングレール１１０の帯板１１２には、円周方向に４箇所、かつ、上下２段に調整ボルト１２４、１２４、・・・が等間隔に螺着されている。これら８本の調整ボルト１２４は、リングレール１１０の内側に向けて出入するようになっていて、電柱７０に巻回した状態で、リングレール１１０ａおよびリングレール１１０ｂを一体化した後、それぞれの調整ボルト１２４を電柱７０に向けて突出させ、その先端を電柱７０に強く当接させることにより、リングレール１１０は電柱７０に巻回された状態で固定される。
【０００５】
周回ブロック１３０は、上面材１３２と、下面材１３４と、上面材１３２と下面材１３４とを繋ぐつなぎ面材１３６から構成され、側面から見た形状がコの字状を呈していて、上面材１３２と下面材１３４とが上部レール１１４と下部レール１１６とを挟み込むようにして、リングレール１１０上を周回し、ラック１５０が周回ブロック１３０に固定され、さらに、ラック１５０にコンクリートカッター１６０が設置され、コンクリートカッター１６０が電柱７０の表面に当接してコンクリートカッター１６０の刃が回転することにより、電柱７０が切断されるようになっている。
【０００６】
電柱の切断に際しては、電柱切断機１００を電柱７０にセットしなければならないが、そのためには、まず、リングレール１１０ａあるいはリングレール１１０ｂに周回ブロック１３０を取り付け、その後、リングレール１１０ａおよびリングレール１１０ｂを、電柱８０に巻回するようにして接合して一体化する必要がある。そして、リングレール１１０を電柱７０に固定するためには少なくとも２人の作業員を必要とする。
【０００７】
ところで、電柱作業に際して作業員が使用する工具を電柱から吊下げる道具としては、特開２００７−７５９６２号公報に記載の「物品吊下げ具」がある。図９を参照して特開２００７−７５９６２号公報に記載の「物品吊下げ具」を概説すると、この物品吊下げ具２００は、「作業員の手元近くの場所に、工事に用いる多数の工具や資材を保持することができる物品吊下げ具を提供する。」ことを目的としていて、「外枠２２０の内側に格子状体２３０が形成されると共に、工具又は資材を収容する収容手段（収容袋２５０）が格子状体２３０内に脱着自在に取り付けられる」構成としたものである。
なお、図９は、特開２００７−７５９６２号公報に開示の実施例に係る物品吊下げ具の概略斜視図である。
【特許文献１】特開２００６−３１６６１０号公報
【特許文献２】特開２００７−７５９６２号公報
【発明の開示】
【発明が解決しようとする課題】
【０００８】
しかしながら、特開２００７−７５９６２号公報に開示の「物品吊下げ具」は、工事に用いる多数の工具や資材を保持するためのもので、片手で保持できるような比較的軽い道具に適したものである。また、仮に、周回ブロックを取り付けたリングレールを「物品吊下げ具」から吊下げるとした場合には、電柱の前側と裏側とに１対の「物品吊下げ具」を取り付けた上、該「物品吊下げ具」からリングレールを吊るための紐や帯を必要とし、「物品吊下げ具」を取り付けた電柱は切断撤去になるため切断する前、すなわち、リングレールを固定した後は直ちに取り外す必要があるが、この「物品吊下げ具」を、取り付けし取り外すことは、１人の作業員では困難である。
【０００９】
そこで、本願発明は、電柱切断機を電柱の固定する作業に適し、１人の作業員であっても、吊下げ具の固定する作業は勿論のこと、電柱切断機の固定が可能な電柱切断機吊下げ具を提供することを目的とする。
【課題を解決するための手段】
【００１０】
上記目的を達成するために、本願請求項１に係る電柱切断機吊下げ具は、着脱自在に電柱に捲回する帯状の捲回帯と、前記捲回帯に摺動可能に挿通され該捲回帯を締付け固定する摺動リングと、前記摺動リングを上部から懸吊する帯状の吊下げ帯と、からなり、前記吊下げ帯の先端には、電柱に捲回され固定される電柱切断機のリングレールを挟持する挟持片が固着されている、ことを特徴とする。
また、本願請求項２に係る電柱切断機吊下げ具は、請求項１に記載の電柱切断機吊下げ具であって、前記摺動リングの上部には電柱の外側に延伸する水平部と該水平部から直角または鈍角に折り曲げられて下方に延伸する曲折部からなる懸吊片が固着され、前記吊下げ帯は該懸吊片を介して懸吊される、ことを特徴としている。
そして、本願請求項３に係る電柱切断機吊下げ具は、請求項２に記載の電柱切断機吊下げ具であって、前記吊下げ帯は前記懸吊片に対して着脱自在に係着または掛着される、ことを特徴としている。
さらに、本願請求項４に係る電柱切断機吊下げ具は、請求項３に記載の電柱切断機吊下げ具であって、前記吊下げ帯の上端には上部が矩形で下部が円形の鍵穴状の掛止孔が貫設された硬質材製の掛止用平板が固着され、前記摺動リングの懸吊片を形成する曲折部の表面には先端の径が根元の径よりも太くなったきのこ状の雄型掛止子が電柱の外側に向けて突設され、前記雄型掛止子が前記掛止孔に掛着される、ことを特徴としている。
また、本願請求項５に係る電柱切断機吊下げ具は、請求項１ないし請求項４のいずれかに記載の電柱切断機吊下げ具であって、前記捲回帯の一端には前記雌型係止リングが固着され、該捲回帯の他端が該雌型係止リングに捲回することにより該捲回帯は電柱に係着されて固定される、ことを特徴としている。
そして、本願請求項６に係る電柱切断機吊下げ具は、請求項１ないし請求項５のいずれかに記載の電柱切断機吊下げ具であって、前記吊下げ帯の挟持片は前記電柱切断機のリングレールの外側を周回する突条の補強リブを挟持することにより、前記吊下げ帯は該電柱切断機を挟持する、ことを特徴としている。
さらに、本願請求項７に係る電柱切断機吊下げ具は、請求項１ないし請求項６のいずれかに記載の電柱切断機吊下げ具であって、前記摺動リングの電柱との接触面側には滑り防止用のゴム板が添設され、前記摺動リングの滑り防止用のゴム板の表面には凹凸加工が施されている、ことを特徴とする。
【発明の効果】
【００１１】
本願発明は、上記の構成により、以下の効果を奏する。
（１）本願発明に係る電柱切断機吊下げ具は、着脱自在に電柱に捲回する帯状の捲回帯と該捲回帯に摺動可能に挿通される摺動リングと該摺動リングの上部から懸吊される帯状の吊下げ帯とからなる構成であって、比較的軽く製作することができるので、１人で容易に所持できるばかりでなく、１人で簡単に電柱に取り付けることができる。
（２）硬質の材料で形成された略矩形の摺動リングの電柱の接触面側には滑り防止用のゴム板が添設されるとともに、該摺動リングの上部から帯状の吊下げ帯が懸吊されるので、電柱切断機吊下げ具が電柱切断機のリングレールを吊下げると、該摺動リングにはリングレールの重みで該摺動リングの上部が電柱から離れ下部が電柱を押圧する偶力が働き、滑り防止用のゴム板は電柱に強く押し付けられて大きな摩擦力を得る。そのため、電柱切断機吊下げ具はリングレールを吊下げることにより、より確りと電柱に固定される。
なお、この効果は、摺動リングの上部の懸吊片を介してリングレールを吊下げることにより、より強く発揮されることになる。
（３）吊下げ帯を懸吊片に対して着脱自在とすることにより、電柱切断機吊下げ具は、摺動リングを挿通した捲回帯と複数本の吊下げ帯に簡単に分解することができるので、持ち運びや取り扱いがより容易になる。さらに、懸吊片と吊下げ帯の掛着を、懸吊片のきのこ状の雄型掛着具と吊下げ帯に貫設した鍵穴状の掛着孔とした場合には、懸吊片と吊下げ帯の掛着をきわめて容易にできるとともに確実に掛着することができる。
（４）電柱切断機のリングレールの吊下げをリングレールの突条の補強リブを介して行うことにより、リングレールの吊下げはきわめて容易かつ簡単な作業になる。
（５）複数の吊下げ帯の本数をたとえば３本とした場合には、二つ割にした一方のリングレールを２本の吊下げ帯で吊下げ、他方のリングレールを１本の吊下げ帯で吊下げることにより、一方のリングレールはそれ程ブレることなく吊下げられ、他方のリングレールはある程度のブレを許された状態で吊下げられるので、二つ割にしたリングレール同士の接合はきわめて容易となり、リングレール同士の接合作業は短時間で済むことになる。
【発明を実施するための最良の形態】
【００１２】
以下、本願発明を実施するための最良の形態に係る実施例について、図１ないし図７に基づいて説明する。なお、図１は、実施例に係る電柱切断機吊下げ具の全体斜視図であり、図２は、実施例に係る電柱切断機吊下げ具の主要構成図であり、図３は、実施例に係る電柱切断機吊下げ具に使用される吊下げ帯の詳細図であって、図３（ａ）は、吊下げ帯の上部正面詳細図、図３（ｂ）は、吊下げ帯の下部正面詳細図、図３（ｃ）は、吊下げ帯の上部側面詳細図、図３（ｄ）は、吊下げ帯の下部側面詳細図であり、図４は、実施例に係る電柱切断機吊下げ具に使用される吊下げ帯の使用時の側面詳細図であり、図５は、実施例に係る電柱切断機吊下げ具に使用される摺動リングの詳細図であって、図５（ａ）は、摺動リングの側面図、図５（ｂ）は、摺動リングの正面図であり、図６は、実施例に係る電柱切断機吊下げ具が電柱切断機の一方のリングレールを吊下げている図であり、図７は、実施例に係る電柱切断機吊下げ具が電柱切断機のリングレールを吊下げている図である。
【００１３】
図１ないし図７において、符号１は実施例に係る電柱切断機吊下げ具、符号１０は捲回帯、符号１１は捲回帯本体、符号１３は雌型係止リング、符号３０は摺動リング、符号３１は摺動リング本体、符号３３は滑り防止用のゴム板、符号３５は懸吊片、符号３７は雄型掛止子、符号５０は吊下げ帯、符号５１は吊下げ帯本体、符号５３は掛止用平板、符号５５は掛止孔、符号５７は挟持片、符号５９は挟持部、符号６１は挟持ボルト、符号６３は固着板、符号７０は電柱、である。なお、図８に基づいて説明した電柱切断機については、図６および図７においても、同一の符号を付している。
【００１４】
実施例に係る電柱切断機吊下げ具１は、主に、電柱７０を捲回する捲回帯１０と、捲回帯１０に摺動可能に挿通される硬質材製の４個の摺動リング３０、３０、・・・と、４個の摺動リング３０のそれぞれから懸吊される４本の吊下げ帯５０、５０、・・・と、から構成されている。
【００１５】
捲回帯１０は、捲回帯本体１１と、捲回帯本体１１の一端に固着された雌型係止リング１３とから構成され、雌型係止リング１３は矩形のリングと、この矩形のリングの上辺と下辺に掛け渡されて摺動する連結棒とからなっている。そして、電柱７０に捲回帯１０を捲回するときは、捲回帯本体１１の雌型係止リング１３とは反対側の先端を、雌型係止リング１３の連結棒の捲回帯本体１１側に通して電柱７０の外側に引き出し、その後、捲回帯本体１１の先端を雌型係止リング１３の矩形のリングの右辺の電柱７０側に通して引っ張ることにより、雌型係止リング１３の連結棒は雌型係止リング１３の矩形のリングの右辺側に寄せられて、捲回帯１０は電柱７０に確実に捲回して固定される。
なお、雌型係止リング１３の矩形のリングの上下左右とは、捲回帯１０を電柱７０に捲回したときの正面から見た方向をいう。
【００１６】
摺動リング３０は、断面が略矩形のリング状に形成された摺動リング本体３１と、摺動リング本体３１の電柱７０側の面に添着される滑り防止用のゴム板３３と、摺動リング本体３１の上端から電柱７０の外側に向けて略水平に延伸する水平部とこの水平部から鈍角に下方に折り曲げられた曲折部からなる懸吊片３５と、懸吊片３５の曲折部の表面から略直角に電柱７０の外側に向けて延伸し先端の径が根元の径よりも太くなったきのこ状の雄型掛止子３７と、から構成されている。
【００１７】
摺動リング本体３１は捲回帯本体１１を緩やかに囲繞していて、それほどの力を要することなく捲回帯本体１１を摺動することができるようになっている。実施例では、摺動リング本体３１を構成する電柱７０側の面と懸吊片３５とが一体成形されていて、電柱７０側の面に側面から見た形状がコの字に折り曲げられた板が固着されて、摺動リング本体３１が形成されている。
なお、摺動リング本体３１、懸吊片３５および雄型掛止子３７は、いずれも硬質の材料、たとえば、鉄やアルミニュームおよびその合金等の金属材料、アクリル樹脂等の硬質合成樹脂材料で作られている。
【００１８】
摺動リング本体３１の電柱７０側の面には、滑り防止用のゴム板３３が添設され、滑り防止用のゴム板３３の表面、すなわち電柱７０側との接触面は摩擦係数を大きくするための溝が水平方向に複数本彫られている。
【００１９】
吊下げ帯５０は、帯状の吊下げ帯本体５１と、吊下げ帯本体５１の一端に固着された平板状の掛止用平板５３と、吊下げ帯本体５１の他端に固着された挟持片５７と、から構成されていて、掛止用平板５３および挟持片５７は、いずれも硬質の材料、たとえば、鉄やアルミニュームおよびその合金等の金属材料、アクリル樹脂等の硬質合成樹脂材料で作られている。
【００２０】
吊下げ帯５０を、掛止用平板５３を上にしてぶら下げたときに、掛止用平板５３には上部が矩形で下部が円形の鍵穴状の掛止孔５５が貫設されていて、懸吊片３５の曲折部から突設される雄型掛止子３７の先端が掛止孔５５の円形の孔から挿入され、吊下げ帯５０を下に引くことにより雄型掛止子３７が掛止孔５５の矩形の孔に掛止するようになっている。
【００２１】
吊下げ帯本体５１の他端に固着される挟持片５７は、側面から見た形状がコの字状の挟持部５９と、挟持部５９の下部に螺刻された螺入孔に上下方向に螺入される挟持ボルト６１と、挟持部５９と吊下げ帯本体５１の他端に介在して吊下げ帯本体５１に挟持片５７を固着させる平板状の固着板６３と、から構成されていて、電柱切断機１００のリングレール１００の補強リブ１１８を、挟持部５９と挟持ボルト６１とで上下から挟み込んで、リングレール１００を挟持するようになっている。
【００２２】
ここで、電柱切断機吊下げ具１の使用例を説明しながら、電柱切断機吊下げ具１の作用について説明する。
【００２３】
（１）電柱７０の切断位置から所定距離隔てた位置に、４個の摺動リング３０を挿通した捲回帯１０を捲回させて固定させる。この所定距離とは、電柱切断機吊下げ具１で電柱切断機１００のリングレール１００を吊下げたときに、コンクリートカッター１６０の刃が電柱７０の切断位置となる距離である。
また、捲回帯１０を電柱７０に捲回させる際には、４個の摺動リング３０のうち、３個の摺動リング３０が二分割された一方のリングレール１００ａを吊り下げるに適した位置とする。
【００２４】
（２）４個の摺動リング３０のそれぞれに吊下げ帯５０をぶら下げる。この際、吊下げ帯５０の挟持片５７のコの字の開放部画電柱７０に向くようにする。
【００２５】
（３）リングレール１１０ａの補強リブ１１８を挟持片５７で挟持し、挟持片５７を介して３本の吊下げ帯５０で吊下げる。リングレール１００ａを吊下げることにより、図４に示すように摺動リング３０には、右回りの偶力Ｔが働き、滑り防止用のゴム板３３の下部は電柱７０に強く押し付けられて大きな摩擦力を得る。そのため、電柱切断機吊下げ具１で吊下げられたリングレール１００ａは、所定の位置を保持して懸吊される。
【００２６】
（４）４本の吊下げ帯５０の残りの１本の吊下げ帯５０に、上記手順（２）と同様にして二分割された他方のリングレール１１０ｂを吊下げる。このリングレール１００ｂも所定の位置を保持して懸吊されるが、１本の吊下げ帯５０により吊下げられているため、リングレール１１０ｂの両端部は上下方向に簡単振ることができる。
【００２７】
（５）懸吊されるリングレール１００ｂの接合リブ１２２の貫通孔とリングレール１００ａの接合リブ１２２の貫通孔とを合わせ、接合ボルト１２６でリングレール１００ｂとリングレール１００ａとを接合する。その後、８本の調整ボルト１２４を電柱７０に向けて突出させ、その先端を電柱７０に強く当接させて、リングレール１１０を電柱７０に固定する。
【００２８】
（６）リングレール１１０を電柱７０に固定した後、挟持片５７の挟持ボルト６１を緩めてリングレール１００の挟持状態を解除し、捲回帯１０を電柱７０から外すことにより、電柱切断機吊下げ具１が電柱７０から取り外される。
以上の手順により電柱切断機吊下げ具１が使用される。
【図面の簡単な説明】
【００２９】
【図１】図１は、実施例に係る電柱切断機吊下げ具の全体斜視図である。
【図２】図２は、実施例に係る電柱切断機吊下げ具の主要構成図である。
【図３】図３は、実施例に係る電柱切断機吊下げ具に使用される吊下げ帯の詳細図であって、図３（ａ）は、吊下げ帯の上部正面詳細図、図３（ｂ）は、吊下げ帯の下部正面詳細図、図３（ｃ）は、吊下げ帯の上部側面詳細図、図３（ｄ）は、吊下げ帯の下部側面詳細図である。
【図４】図４は、実施例に係る電柱切断機吊下げ具に使用される吊下げ帯の使用時の側面詳細図である。
【図５】図５は、実施例に係る電柱切断機吊下げ具に使用される摺動リングの詳細図であって、図５（ａ）は、摺動リングの側面図、図５（ｂ）は、摺動リングの正面図であり、図５は、実施例２の貨物ポンプ装置に係るに係る船倉の横置断面図である。
【図６】図６は、実施例に係る電柱切断機吊下げ具が電柱切断機の一方のリングレールを吊下げている図である。
【図７】図７は、実施例に係る電柱切断機吊下げ具が電柱切断機のリングレールを吊下げている図である。
【図８】図８は、特開２００６−３１６６１０号公報に開示の実施例に係る電柱切断機の斜視図である。
【図９】図９は、特開２００７−７５９６２号公報に開示の実施例に係る物品吊下げ具の概略斜視図である。
【符号の説明】
【００３０】
１  実施例に係る電柱切断機吊下げ具
１０  捲回帯
１３  雌型係止リング
３０  摺動リング
３３  滑り防止用のゴム板
３５  懸吊片
３７  雄型掛止子
５０  吊下げ帯
５３  掛止用平板
５５  掛止孔
５７  挟持片
７０  電柱
１００  電柱切断機
１１０  リングレール
１１８  補強リブ
【図１】
0005049719.tif 000002
【図２】
0005049719.tif 000003
【図３】
0005049719.tif 000004
【図４】
0005049719.tif 000005
【図５】
0005049719.tif 000006
【図６】
0005049719.tif 000007
【図７】
0005049719.tif 000008
【図８】
0005049719.tif 000009
【図９】
0005049719.tif 000010